(57)【要約】      （修正有）【課題】指紋認証機能付きのスマートフォン等の携帯型情報端末を収納した状態で、視認及び操作可能であり、かつ、ユーザの指紋情報を取得可能である小物入れを提供する。【解決手段】タッチパネルディスプレイ９２及び指紋センサを有する携帯型情報端末（スマートフォン９０）を収納可能な小物入れ１であって、収納された携帯型情報端末のタッチパネルディスプレイを覆う透明シート部３と、収納された携帯型情報端末の指紋センサに対応する位置に配置され、透明シート部よりも薄い薄肉部５と、を含む。【選択図】図１
0003219237.tif 000002
【実用新案登録請求の範囲】
【請求項１】
タッチパネルディスプレイ及び指紋センサを有する携帯型情報端末を収納可能な小物入れであって、
収納された前記携帯型情報端末の前記タッチパネルディスプレイを覆う第１の透明シート部と、
収納された前記携帯型情報端末の前記指紋センサに対応する位置に配置され、前記第１の透明シート部よりも薄い薄肉部と、
を含むことを特徴とする小物入れ。
【請求項２】
前記薄肉部は、前記第１の透明シート部に熱融着されていること、
を特徴とする請求項１に記載の小物入れ。
【請求項３】
前記携帯型情報端末用のコネクタを挿通するための開口部を更に含むこと、
を特徴とする請求項１又は２に記載の小物入れ。
【請求項４】
前記携帯型情報端末の撮像素子に対応する位置に配置された第２の透明シート部を更に含むこと、
を特徴とする請求項１〜３のいずれかに記載の小物入れ。
【考案の詳細な説明】
【技術分野】
【０００１】
本考案は、小物入れに関し、特に、指紋認証機能付きのスマートフォン等の携帯型情報端末に好適な小物入れに関する。
【背景技術】
【０００２】
タッチパネルディスプレイを備えた携帯型情報端末を外部から視認可能に収納する収納部を有し、その収納部の外側から携帯型情報端末のタッチパネルディスプレイの操作が可能であるポーチが知られている（例えば特許文献１）。
【先行技術文献】
【特許文献】
【０００３】
【特許文献１】実用新案登録第３１８５０３２号公報
【考案の概要】
【考案が解決しようとする課題】
【０００４】
近年、指紋認証機能を備えたスマートフォン等の携帯型情報端末が登場している。指紋情報を取得する指紋センサには幾つかの種類があるところ、例えば静電容量方式の指紋センサでは、指紋の凹凸による静電容量の変化を利用して、ユーザの指紋情報を抽出している。
【０００５】
この点、特許文献１のポーチでは、携帯型情報端末の損傷防止のために、所定の厚みを有する透明な樹脂シートでタッチパネルディスプレイを覆っていることから、ポーチに収納した状態では、携帯型情報端末側からユーザの指紋情報を正確に抽出することはできない。
【０００６】
そこで、本考案は、指紋認証機能付きのスマートフォン等の携帯型情報端末を収納した状態で、視認及び操作可能であり、かつ、ユーザの指紋情報を取得可能である小物入れの提供を目的とする。
【課題を解決するための手段】
【０００７】
上述した課題を解決すべく、本考案は、タッチパネルディスプレイ及び指紋センサを有する携帯型情報端末を収納可能な小物入れであって、収納された前記携帯型情報端末の前記タッチパネルディスプレイを覆う第１の透明シート部と、収納された前記携帯型情報端末の前記指紋センサに対応する位置に配置され、前記第１の透明シート部よりも薄い薄肉部と、を含むことを特徴とする小物入れを提供する。
【０００８】
上記のような構成を有する本考案の小物入れでは、前記薄肉部が、前記第１の透明シート部に熱融着されていること、が好ましい。
【０００９】
また、上記のような構成を有する本考案の小物入れは、前記携帯型情報端末用のコネクタを挿通するための開口部を更に含むこと、が好ましい。
【００１０】
更に、上記のような構成を有する本考案の小物入れは、前記携帯型情報端末の撮像素子に対応する位置に配置された第２の透明シート部を更に含むこと、が好ましい。
【考案の効果】
【００１１】
本考案の小物入れを用いることにより、指紋認証機能付きのスマートフォン等の携帯型情報端末を小物入れに収納した状態で、透明シート越しにタッチパネルディスプレイを視認及び操作することができ、しかも、ユーザの指紋情報を取得することができる。加えて、タッチパネルディスプレイは小物入れによって損傷及び汚れから保護される。
【図面の簡単な説明】
【００１２】
【図１】本実施形態に係る小物入れ１を示す正面図である。
【図２】図１の小物入れ１の背面図である。
【図３】図１の小物入れ１において蓋１３が開いた状態を示す図である。
【図４】図１の小物入れ１に収納されたスマートフォン９０の指紋認証操作の一例を示す図である。
【考案を実施するための形態】
【００１３】
以下、本考案の代表的な実施形態に係る小物入れについて、図面を参照しつつ詳細に説明する。ここでは、小物入れに収納される携帯型情報端末の好適な例としてスマートフォンが用いられるが、小物入れを用いることができる携帯型情報端末は特に限定されず、種々の小型情報端末を対象とすることができる。なお、図面は、本考案を概念的に説明するためのものであるから、理解容易のために、必要に応じて寸法、比又は数を誇張又は簡略化して表している場合もある。
【００１４】
まず、本実施形態において好適に使用されるスマートフォンについて述べる。スマートフォン９０は、例えば図１に示すように、タッチパネルディスプレイ９２を備えている。また、スマートフォン９０は、指紋認証機能を有しており、ユーザの指紋情報を取得するための指紋センサ９４を、タッチパネルディスプレイ９２と同じ面に備えている。なお、指紋センサ９４はタッチパネルディスプレイ９２から独立していてもよいし、タッチパネルディスプレイ９２が指紋センサ９４を兼ねてもよい。
【００１５】
また、スマートフォン９０は、タッチパネルディスプレイ９２及び指紋センサ９４とは反対側の面に、撮像素子９６を有する。なお、タッチパネルディスプレイ９２及び指紋センサ９４側の面にも、図示しない撮像素子が設けられてもよい。更に、スマートフォン９０は、コネクタ９８を装着するための端子ないしポート（図示せず）を備えていてもよい。
【００１６】
小物入れ１の説明に移ると、小物入れ１は袋体をなしており、図１に示すように、第１の透明シート部に相当する透明シート部３、及び薄肉部５を含む。また、小物入れ１は、開口部７、別の透明シート部１１、蓋１３及びストラップ１７を有していてもよいし、追加のポケットを有していてもよい。
【００１７】
透明シート部３は、小物入れ１に収納されたスマートフォン９０のタッチパネルディスプレイ９２を覆う、透光性を有するシート材である。透明シート部３は、ユーザがタッチパネルディスプレイ９２を全面的に視認できるように、タッチパネルディスプレイ９２の全面を覆っていることが好ましい。ただし、透明シート部３は、タッチパネルディスプレイ９２の枠（ベゼル）を含む、タッチパネルディスプレイ９２側の面を全面的に覆う必要はない。
【００１８】
したがって、図４に示すように、スマートフォン９０が小物入れ１に収納された状態において、透明シート部３越しにタッチパネルディスプレイ９２の操作が可能である。また、透明シート部３は、スマートフォン９０が小物入れ１に収納されると、タッチパネルディスプレイ９２に密着する。したがって、スマートフォン９０の小物入れ１内での移動が抑制されるため、スマートフォン９０のタッチパネルディスプレイ９２の操作性が向上する。
【００１９】
透明シート部３の材料としては、例えば、ＰＥＴ（ポリエチレンテレフタレート）、ポリ塩化ビニル等の透明性を有する軟質合成樹脂を用いることができるが、より確実に密着・固定の作用効果を奏するためにポリ塩化ビニルを用いることが好ましい。
【００２０】
次いで、薄肉部５は、図１に示すように、スマートフォン９０の指紋センサ９４に対応する位置に配置されている。本実施形態では、薄肉部５は、透明シート部３に囲まれており、透明シート部３に熱融着されることで透明シート部３に取り付けられている。ただし、薄肉部５は接着等の他の固定手段で透明シート部３に取り付けられてもよい。また、薄肉部５は透明シート部３の外に位置していてもよい。
【００２１】
薄肉部５は、スマートフォン９０の指紋センサ９４を確実に覆うように、指紋センサ９４よりもやや大きいことが好ましい。また、薄肉部５の材料は、透明シート部３と同じ材料で作製されてよいが、薄肉部５の厚みは、透明シート部３の厚みよりも薄い。
【００２２】
薄肉部５の材料としては、例えば、ＰＥＴ（ポリエチレンテレフタレート）、ポリ塩化ビニル等の透明性を有する軟質合成樹脂を用いることができるが、薄さと強度とを両立するためには、例えばポリ塩化ビニルを９０重量％、ポリエチレンを１０重量％配合した樹脂を用いることが好ましい。
【００２３】
例えばスマートフォン９０の指紋センサ９４が静電容量方式であり、かつ、薄肉部５がポリ塩化ビニル９０重量％、ポリエチレン１０重量％配合した樹脂で作製されている場合には、薄肉部５の厚みは例えば０．０５ｍｍ以上、０．１０ｍｍ以下であることが好ましい。薄肉部５の厚みが０．１０ｍｍより大きいと、指紋センサ９４がユーザの指紋情報を正確に抽出できなくなるためであり、また、薄肉部５の厚みが０．０５ｍｍ未満であると、薄肉部５に対応する素材が一般に流通しておらず、調達コストが上昇するためである。また、薄肉部５の厚みが０．０５ｍｍ未満であると、薄肉部５の強度が不足して薄肉部５が破れやすくなる懸念もある。
【００２４】
そして、開口部７は、スマートフォン９０のコネクタ９８を挿通するために、スマートフォン９０の端子に対応する位置に設けられている。開口部７は、想定されるスマートフォン９０の端子位置に合わせて配置してよい。また、開口部７は、複数個所に設けられてもよい。
【００２５】
図２に示すように、小物入れ１において透明シート部３とは反対側には、別の透明シート部１１が設けられている。この透明シート部１１は、小物入れ１内に収納した状態のスマートフォン９０で撮影を可能にするためのものであり、撮像素子９６に対応する位置に配置されている。
【００２６】
その他、小物入れ１は、スマートフォン９０の出入口を開閉自在に覆う蓋１３と、蓋１３を閉じた状態に保持する固定具１５（ボタン）と、を有していてもよい。これにより、小物入れ１内のスマートフォン９０が不意に小物入れ１から飛び出すことを防止することができる。
また、小物入れ１にはストラップ１７が取り付けられ、小物入れ１の持ち運びを容易にしている。
【００２７】
上記のような構成を有する小物入れ１では、図３に示すように、蓋１３を開くと、スマートフォン９０を小物入れ１に出し入れすることが可能である。そして、指紋センサ９４が薄肉部５と重なるようにスマートフォン９０を小物入れ１内に挿入し、蓋１３を閉じると、透明シート部３がタッチパネルディスプレイ９２に密着し、スマートフォン９０の移動が抑制される。
【００２８】
したがって、図４に示すようにユーザが薄肉部５を介して指紋センサ９４に触れると、指紋センサ９４がユーザの指紋情報を取得し、これによりスマートフォン９０のロックが解除される。そして、ユーザが透明シート部３を介してタッチパネルディスプレイ９２に触れることで、小物入れ１の外側からタッチパネルディスプレイ９２を容易に操作できるとともに、撮影も可能となる。
【００２９】
以上、本考案の代表的な実施形態について説明したが、本考案はこれに限定されるものではなく、種々の設計変更が可能であり、それらも本考案に含まれる。
【符号の説明】
【００３０】
１・・・小物入れ、
３・・・透明シート部、
５・・・薄肉部、
７・・・開口部、
９０・・・スマートフォン、
９２・・・タッチパネルディスプレイ、
９４・・・指紋センサ。
【図１】
0003219237.tif 000003
【図２】
0003219237.tif 000004
【図３】
0003219237.tif 000005
【図４】
0003219237.tif 000006